【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
文字列の入力に際し、文字列の記録を指示するための記録指示手段と、
前記記録指示手段により文字列の記録が指示された際、この入力された文字列を現在時刻を示す時刻情報と対応付けて日記情報として記録する日記記録手段と、
を備えたことを特徴とする携帯端末。
【請求項２】
前記記録指示手段は、画像が撮像された際にもこの撮像された画像の記録を指示可能とし、
前記日記記録手段は、前記記録指示手段により画像の記録が指示された際、この撮像された文字列を現在時刻または撮像時刻を示す時刻情報と対応付けて日記情報として記録する請求項１記載の携帯端末。
【請求項３】
前記日記記録手段は、日記情報として記録する際に、基地局から位置情報を受信してこの位置情報を併せて記録する請求項１または２記載の携帯端末。
【請求項４】
前記記録指示手段は、メールを受信した際にもこの受信したメールの記録を指示可能とし、
前記日記記録手段は、前記記録指示手段により受信したメールの記録が指示された際、この受信したメールもしくはその一部を、現在時刻または受信時刻を示す時刻情報と対応付けて日記情報として記録する請求項１記載の携帯端末。
【請求項５】
時刻情報とこの時刻に行うべきスケジュールとが対応付けられたスケジュール情報を記憶するスケジュール情報記憶手段を備え、
前記記録指示手段は、前記スケジュール情報を表示した際にもこのスケジュール情報の記録を指示可能とし、
前記日記記録手段は、前記記録指示手段によりスケジュール情報の記録が指示された際、このスケジュール情報を日記情報として記録する請求項１記載の携帯端末。
【請求項６】
前記日記記録手段に記録されている日記情報の表示を指示するための表示指示手段と、
前記表示指示手段により日記情報の表示が指示された際、この日記情報を表示する日記表示手段とを備えた請求項１記載の携帯端末。
【手続補正２】
【補正対象書類名】明細書
【補正対象項目名】発明の名称
【補正方法】変更
【補正の内容】
【発明の名称】携帯端末
【手続補正３】
【補正対象書類名】明細書
【補正対象項目名】０００１
【補正方法】変更
【補正の内容】
【０００１】
本発明は、入力された文字列や撮像された画像、録音された音声、現在位置情報、登録されているスケジュール情報、または受信されたメール情報等を用いて簡単に日記を作成できる携帯端末に関する。
【手続補正４】
【補正対象書類名】明細書
【補正対象項目名】０００７
【補正方法】変更
【補正の内容】
【０００７】
本発明は、上記課題を鑑みなされてものであり、入力された文字列や撮像された画像、録音された音声、現在位置情報、登録されているスケジュール情報、または受信されたメール情報等を用いて、ユーザがフォーマットを意識せずに、簡単に日記を作成することができる携帯端末を提供することを目的とする。
【手続補正５】
【補正対象書類名】明細書
【補正対象項目名】０００８
【補正方法】変更
【補正の内容】
【０００８】
上記課題を解決するために、本発明に係る携帯端末は、文字列の入力に際し、文字列の記録を指示するための記録指示手段と、前記記録指示手段により文字列の記録が指示された際、この入力された文字列を現在時刻を示す時刻情報と対応付けて日記情報として記録する日記記録手段と、を備えたことを特徴とする。
【手続補正６】
【補正対象書類名】明細書
【補正対象項目名】０００９
【補正方法】変更
【補正の内容】
【０００９】
本発明に係る携帯端末によると、入力された文字列や撮像された画像、録音された音声、現在位置情報、登録されているスケジュール情報、または受信されたメール情報等を用いて、ユーザがフォーマットを意識せずに、簡単に日記を作成することが可能となる。
【手続補正７】
【補正対象書類名】明細書
【補正対象項目名】００１０
【補正方法】変更
【補正の内容】
【００１０】
本発明に係る携帯端末の実施形態について、添付図面を参照しながら説明する。図１は、本発明に係る携帯端末（携帯電話機１）が適用されるネットワークシステム２を示すシステム構成図である。図１に示すように、ネットワークシステム２は第１のネットワーク３を備えている。第１のネットワーク３は、例えば携帯電話網であり、携帯電話機１の通信サービス提供エリア内に、固定無線局である基地局４が有線回線を介して複数設置されている。移動無線局である携帯電話機１は、この基地局４に対して例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されていて、この基地局４を介して、他の携帯電話機と音声通話を行ったりデータ通信を行ったりする。
【手続補正８】
【補正対象書類名】明細書
【補正対象項目名】００９８
【補正方法】変更
【補正の内容】
【００９８】
本発明に係る携帯端末（携帯電話機１）によると、入力された文字列や撮像された画像、現在位置情報や登録されているスケジュール情報、または受信したメール情報等を用いた処理を行う際に、これらの情報を日記情報３１として記録するための日記ボタン４２を表示することにより、ユーザが簡単に日記を作成することが可能となる。
【手続補正９】
【補正対象書類名】明細書
【補正対象項目名】００９９
【補正方法】変更
【補正の内容】
【００９９】
また、本発明に係る携帯端末（携帯電話機１）によると、入力された文字列や撮像された画像、現在位置情報や登録されているスケジュール情報、または受信したメール情報等を用いた処理を行う際に、日記情報３１を表示するための表示ボタン４３を表示することにより、ユーザが簡単に日記情報３１を表示させることが可能となる。
【手続補正１０】
【補正対象書類名】明細書
【補正対象項目名】０１００
【補正方法】変更
【補正の内容】
【０１００】
また、本発明に係る携帯端末（携帯電話機１）によると、入力された文字列や撮像された画像、現在位置情報や登録されているスケジュール情報、または受信したメール情報等を、必ず時刻と併せて記録することにより、その時々で作成された様々な種類の日記情報３１を時系列に沿って管理することが可能となる。これにより、ユーザは日記のフォーマットを意識せずに、簡単に日記情報３１を記録することが可能となる。
【手続補正１１】
【補正対象書類名】明細書
【補正対象項目名】０１０１
【補正方法】変更
【補正の内容】
【０１０１】
また、本発明に係る携帯端末（携帯電話機１）によると、日記作成機能を実現するための日記ボタン４２や表示ボタン４３にソフトキー（Ｆ１キー２１ａやＦ２キー２１ｂ）を対応させることにより、あるいはこれらの機能が固定された操作キー２１を用意することにより、ユーザがワンタッチで日記を作成したり日記を表示したりすることが可能となる。
【手続補正１２】
【補正対象書類名】明細書
【補正対象項目名】０１０３
【補正方法】変更
【補正の内容】
【０１０３】
【図１】本発明に係る携帯端末（携帯電話機）が適用されるネットワークシステムのシステム構成図。
【図２】本発明に係る携帯端末（携帯電話機）の機能ブロック図。
【図３】日記情報を示すデータ構成図。
【図４】スケジュール情報を示すデータ構成図。
【図５】本発明に係る携帯端末（携帯電話機）を正面から見た外観図。
【図６】本発明に係る携帯端末（携帯電話機）において入力された文字列を用いて日記作成処理を行う際の手順を示すフローチャート。
【図７】（Ａ）本発明に係る携帯端末（携帯電話機）において入力された文字列を用いて日記作成処理を行う際の表示画面を示す画面図。（Ｂ）本発明に係る携帯端末（携帯電話機）における日記表示画面を示す画面図。
【図８】本発明に係る携帯端末（携帯電話機）において撮像された画像を用いて日記作成処理を行う際の手順を示すフローチャート。
【図９】（Ａ）本発明に係る携帯端末（携帯電話機）において撮像された画像を用いて日記作成処理を行う際の表示画面を示す画面図。（Ｂ）本発明に係る携帯端末（携帯電話機）における日記表示画面を示す画面図。
【図１０】本発明に係る携帯端末（携帯電話機）において位置情報を用いて日記作成処理を行う際の手順を示すフローチャート。
【図１１】本発明に係る携帯端末（携帯電話機）において位置情報を用いて日記作成処理を行う際の表示画面を示す画面図。
【図１２】本発明に係る携帯端末（携帯電話機）において地名情報取得処理を行う際の手順を示すフローチャート。
【図１３】（Ａ）本発明に係る携帯端末（携帯電話機）において位置情報を用いて日記作成処理を行う際の表示画面を示す画面図。（Ｂ）本発明に係る携帯端末（携帯電話機）における日記表示画面を示す画面図。
【図１４】本発明に係る携帯端末（携帯電話機）において受信したメールを用いて日記作成処理を行う際の手順を示すフローチャート。
【図１５】（Ａ）本発明に係る携帯端末（携帯電話機）において受信したメールを表示する際の表示画面を示す画面図。（Ｂ）本発明に係る携帯端末（携帯電話機）において受信したメールを用いて日記作成処理を行う際の表示画面を示す画面図。（Ｃ）本発明に係る携帯端末（携帯電話機）における日記表示画面を示す画面図。
【図１６】本発明に係る携帯端末（携帯電話機）においてスケジュール情報を用いて日記作成処理を行う際の手順を示すフローチャート。
【図１７】（Ａ）本発明に係る携帯端末（携帯電話機）においてスケジュール情報を表示する際の表示画面を示す画面図。（Ｂ）本発明に係る携帯端末（携帯電話機）においてスケジュール情報を用いて日記作成処理を行う際の表示画面を示す画面図。（Ｃ）本発明に係る携帯端末（携帯電話機）における日記表示画面を示す画面図。